Podtech/llm-jp-corpus-v4-ja_patent huggingface dataset:
【手続補正書】
【提出日】平成21年12月24日(2009.12.24)
【手続補正１】
【補正対象書類名】明細書
【補正対象項目名】００９８
【補正方法】変更
【補正の内容】
【００９８】
図４においては、制御電圧ＥＳを３Ｖと、Ｒ＝Ｒ１＝Ｒ２を１００ｋΩと、Ｃ＝Ｃ１＝Ｃ２を１０００ｐＦとした場合の電圧制御発振器１の動作波形を示している。なお、図４において、ＶＯＨ、ＶＯＬはそれぞれＮＡＮＤゲート３（３ａ，３ｂ）のハイレベルとローレベルを示している。
【手続補正２】
【補正対象書類名】明細書
【補正対象項目名】０１６１
【補正方法】変更
【補正の内容】
【０１６１】
図９においては、制御電圧ＥＳを３Ｖと、Ｒ＝Ｒ１＝Ｒ２を１００ｋΩと、Ｃ＝Ｃ１＝Ｃ２を１０００ｐＦとした場合の電圧制御発振器１Ａの動作波形を示している。
【手続補正３】
【補正対象書類名】明細書
【補正対象項目名】０２２３
【補正方法】変更
【補正の内容】
【０２２３】
図１５においては、制御電圧ＥＳを３Ｖと、Ｒ＝Ｒ１＝Ｒ２を１００ｋΩと、Ｃ＝Ｃ１＝Ｃ２を１０００ｐＦ、とした場合の電圧制御発振器１Ｂの動作波形を示している。なお、図１５において、ＶＯＨ、−ＶＯＨはそれぞれＮＯＲゲート４３（４３ａ，４３ｂ）のハイレベルとローレベルを示している。
【手続補正４】
【補正対象書類名】明細書
【補正対象項目名】０２２４
【補正方法】変更
【補正の内容】
【０２２４】
この図１５に示したように、電圧制御発振器１Ｂは、ＮＯＲゲート４３（４３ａ，４３ｂ）から方形波を、また、ブートストラップ回路４（４ａ，４ｂ）を構成するオペアンプ１７（１７ａ，１７ｂ）の非反転端子から直線性の良いのこぎり波を同時に得ることができる。
【手続補正５】
【補正対象書類名】図面
【補正対象項目名】図４
【補正方法】変更
【補正の内容】
【図４】
2007267365.tif 000001
【手続補正６】
【補正対象書類名】図面
【補正対象項目名】図９
【補正方法】変更
【補正の内容】
【図９】
2007267365.tif 000002
【手続補正７】
【補正対象書類名】図面
【補正対象項目名】図１５
【補正方法】変更
【補正の内容】
【図１５】
2007267365.tif 000003
【手続補正書】
【提出日】平成21年12月24日(2009.12.24)
【手続補正１】
【補正対象書類名】明細書
【補正対象項目名】００６７
【補正方法】変更
【補正の内容】
【００６７】
このような結果を図３および図４に示しており、図３においては、制御電圧ＥＳを３Ｖと、Ｒ＝Ｒ１＝Ｒ２を１００ｋΩと、Ｃ＝Ｃ１＝Ｃ２を１０００ｐＦとした場合の電圧制御発振器１の動作波形を示している。なお、図３において、ＶＯＨは、ＮＯＲゲート２３（２３ａ，２３ｂ）のハイレベルの際の電圧を、ＶＯＬは、ＮＯＲゲート２３（２３ａ，２３ｂ）のローレベルの際の電圧を示している。また、Ｖｔｈは、ＮＯＲゲート２３（２３ａ，２３ｂ）の閾値電圧を示している。
【手続補正２】
【補正対象書類名】明細書
【補正対象項目名】０１１３
【補正方法】変更
【補正の内容】
【０１１３】
このような結果を図７および図８に示しており、図７においては、制御電圧ＥＳを３Ｖと、Ｒ＝Ｒ１＝Ｒ２を１００ｋΩと、Ｃ＝Ｃ１＝Ｃ２を１０００ｐＦとした場合の電圧制御発振器１の動作波形を示している。なお、図７において、ＶＯＨは、ＮＡＮＤゲート３（３ａ，３ｂ）のハイレベルの際の電圧を、ＶＯＬは、ＮＡＮＤゲート３（３ａ，３ｂ）のローレベルの際の電圧を示している。また、Ｖｔｈは、ＮＡＮＤゲート３（３ｃ，３ｄ）の閾値電圧を示している。
【手続補正３】
【補正対象書類名】明細書
【補正対象項目名】０１５６
【補正方法】変更
【補正の内容】
【０１５６】
このような結果を図１１および図１２に示しており、図１１においては、制御電圧ＶＣを５Ｖと、Ｒ＝Ｒ１＝Ｒ２を１００ｋΩと、Ｃ＝Ｃ１＝Ｃ２を１０００ｐＦとした場合の電圧制御発振器４１の動作波形を示している。なお、図１１において、ＶＯＨは、ＮＯＲゲート４３（４３ａ，４３ｂ）のハイレベルの際の電圧およびオペアンプ５３（５３ａ、５３ｂ）の飽和電圧を、ＶＯＬは、ＮＯＲゲート４３（４３ａ，４３ｂ）のローレベルの際の電圧を示している。また、Ｖｔｈは、ＮＯＲゲート４３（４３ｃ，４３ｄ）の閾値電圧を示している。
【手続補正４】
【補正対象書類名】図面
【補正対象項目名】図３
【補正方法】変更
【補正の内容】
【図３】
2007267361.tif 000001
【手続補正５】
【補正対象書類名】図面
【補正対象項目名】図７
【補正方法】変更
【補正の内容】
【図７】
2007267361.tif 000002
【手続補正６】
【補正対象書類名】図面
【補正対象項目名】図１１
【補正方法】変更
【補正の内容】
【図１１】
2007267361.tif 000003
【手続補正書】
【提出日】平成21年12月14日(2009.12.14)
【手続補正１】
【補正対象書類名】特許請求の範囲
【補正対象項目名】全文
【補正方法】変更
【補正の内容】
【特許請求の範囲】
【請求項１】
第１ケースと、該第１ケースに締結される第２ケースと、から構成され、
前記第１ケースは、
情報を表示するディスプレイウィンドウ領域、及びタッチ入力を行えるように形成されたキー領域が備えられた透明な第１部材と、
該第１部材の一方に固定されて前記第２ケースと締結される第２部材と、を含み、
前記第１部材の表面にフィルムが備えられ、該フィルムは、その不透明な部分が前記ディスプレイウィンドウ領域と前記キー領域を限定できるように形成され、
前記第１部材の下側に静電容量方式のタッチパッドが設置され、該タッチパッドは、前記キー領域がタッチされると入力信号を生成するように形成されることを特徴とする携帯端末機のケース。
【請求項２】
前記第１部材と前記第２部材は異なる材質で形成されることを特徴とする請求項１に記載の携帯端末機のケース。
【請求項３】
前記第１部材にはサウンドを入出力するサウンド入出力通路が備えられることを特徴とする請求項１に記載の携帯端末機のケース。
【請求項４】
前記第１部材の表面にはキー領域が少なくとも１つ突設されることを特徴とする請求項１に記載の携帯端末機のケース。
【請求項５】
前記キー領域は文字、記号、又は数字の少なくとも１つから構成されることを特徴とする請求項１に記載の携帯端末機のケース。
【請求項６】
前記キー領域は、照明されない状態の時は、該キー領域が外部に表示されないように半透明に形成されることを特徴とする請求項１に記載の携帯端末機のケース。
【請求項７】
前記フィルムはインモールド射出方式により前記第１部材にコーティングされることを特徴とする請求項１に記載の携帯端末機のケース。
【請求項８】
前記第２部材は、その上面縁部に前記第１部材の縁部が収容される収容部が形成され、その下面縁部は第２ケースに締結されることを特徴とする請求項１に記載の携帯端末機のケース。
【請求項９】
前記第１部材は前記第２部材の一方に接着固定されることを特徴とする請求項１に記載の携帯端末機のケース。
【請求項１０】
前記第１部材の下面縁部には各位置固定突起が突出し、これら位置固定突起は前記第２部材の縁部に形成された位置固定孔に挿入されることを特徴とする請求項１に記載の携帯端末機のケース。
【請求項１１】
前記ディスプレイウィンドウにより情報を表示するディスプレイをさらに含むことを特徴とする請求項１に記載の携帯端末機のケース。
【請求項１２】
前記第２部材は前記第１部材に二重射出方式で成形されることを特徴とする請求項１に記載の携帯端末機のケース。
【請求項１３】
前記ケースはデータをやり取りする通信モジュールを有する移動通信端末機に提供されることを特徴とする請求項１に記載の携帯端末機のケース。
【誤訳訂正書】
【提出日】平成22年10月28日(2010.10.28)
【誤訳訂正１】
【訂正対象書類名】特許請求の範囲
【訂正対象項目名】全文
【訂正方法】変更
【訂正の内容】
【特許請求の範囲】
【請求項１】
可撓性を備えたシャフト（２）と、同シャフトが収容されるケーシング（３）とからなる回転運動伝達装置であって、
前記ケーシングは、同ケーシング内で前記シャフトが回転できるように内径が設定されたプラスチック材料からなる中空体から形成されることと、
前記ケーシングの少なくとも一部が長手方向に延び、かつ、前記シャフトの回転時に同シャフトの振動の発生を抑制する波状部（６）からなる内面（４）を備えるように、前記中空体の壁は異なる厚さを有することと、
前記ケーシングは、円筒状の外面（５）を有することとを特徴とする回転運動伝達装置。
【請求項２】
波状部（６）は、ケーシング（３）の内側に向かって延びる複数の突出部（１９）により形成されて、ケーシング（３）の少なくとも一部に沿って配置される請求項１に記載の伝達装置。
【請求項３】
複数の突出部（１９）は、三角形、円形の一部、菱形の一部、又は四角形の一部から選択された断面形状を有する請求項２に記載の伝達装置。
【請求項４】
ケーシング（３）の一端又は両端は、長手方向に延びる波状部（６）を備える内面（４）を有する請求項１乃至３のいずれか一項に記載の伝達装置。
【請求項５】
ケーシング（３）全体は、長手方向に延びる波状部（６）を備える内面（４）を有する請求項１乃至４のいずれか一項に記載の伝達装置。
【請求項６】
ケーシング（３）の外径に等しい内径を有する硬質チューブ（９）をさらに備え、少なくともその端部が同チューブ内に収容される請求項１乃至５のいずれか一項に記載の伝達装置。
【請求項７】
ケーシング（３）は、制限止め部（１０）を形成する領域を有し、同領域は外面（５）から突出して延びる請求項１乃至６のいずれか一項に記載の伝達装置。
【請求項８】
チューブ（９）の一端は、制限止め部（１０）を形成する領域に接触することを特徴とする請求項７に記載の伝達装置。
【請求項９】
ケーシング（３）は、その外面（５）において異なる厚さを有することを特徴とする請求項１乃至８のいずれか一項に記載の伝達装置。
【請求項１０】
ケーシング（３）の外面（５）は、チューブ（９）の内側を進むために滑らかであって、さらに、ケーシング（３）は、制限止め部（１０）を形成する少なくとも１つの領域を有することを特徴とする請求項６に記載の伝達装置。
【請求項１１】
シャフト（２）は、頂部が平面に切断された螺旋形のピラミッド状をなす少なくとも１つの端部を有することを特徴とする請求項１乃至１０のいずれか一項に記載の伝達装置。
【請求項１２】
シャフト（２）は、滑らかな外面を有するように加工される請求項１乃至１１のいずれか一項に記載の伝達装置。
【請求項１３】
自動車シートの調整システムであって、自動車の構造体に取り付けられた少なくとも１つの調整ランナー（１２，１３）と、同ランナーにシートを固定するための調節可能な手段（１４，１５）とを備えることと、同システムは少なくとも１つの回転部分を備える駆動モータを更に有することと、同システムは、請求項１乃至１２のいずれか一項に記載の伝達装置を備えることと、伝達装置は駆動モータの出力部（１７，１８）と固定手段との間に配置され、出力部の回転に応じて調整ランナーに沿って固定手段を移動させることを特徴とする調整システム。
【誤訳訂正２】
【訂正対象書類名】明細書
【訂正対象項目名】００１３
【訂正方法】変更
【訂正の内容】
【００１３】
図３に示される一実施例において、波状部６は、ケーシング３の内側に向かって延び、少なくともケーシング３の一部に沿って配置される突出部１９により形成される。同図において、複数の突出部１９により、わずかに曲がった経路がケーシングの内側に形成される。複数の突出部１９は、いずれの形状の断面を有してもよく、特に三角形、円形の一部、菱形の一部、又は四角形の一部から選択されてもよい。
【誤訳訂正３】
【訂正対象書類名】明細書
【訂正対象項目名】００１７
【訂正方法】変更
【訂正の内容】
【００１７】
この理由として、特定の用途において、ケーシング３が、その外径とほぼ等しい内径を有する硬質のガイダンスチューブ９の内側を進むことが挙げられる。ケーシングの外面５も変形されている場合は、チューブ９は、同チューブを変形させようとする力に対して、逆方向への力でチューブ押しつぶすようにしてチューブ本来の形状を維持し、さらにはケーシング３の内部で曲線状経路の形成を抑制するために、ほぼ円筒状の外面５が構成される。
【手続補正書】
【提出日】平成22年1月28日(2010.1.28)
【手続補正１】
【補正対象書類名】明細書
【補正対象項目名】０００７
【補正方法】変更
【補正の内容】
【０００７】
そこで本発明は、より多くの演出画像データを画像記憶装置に記憶させることができるとともに、この演出画像データを効率よく処理することができる遊技機を提供することを目的とする。
【手続補正２】
【補正対象書類名】明細書
【補正対象項目名】００２６
【補正方法】変更
【補正の内容】
【００２６】
本発明の遊技機は、より多くの演出画像データを演出画像記憶装置に記憶させることができるとともに、演出画像データを効率よく処理することができる。
【手続補正３】
【補正対象書類名】明細書
【補正対象項目名】００６０
【補正方法】変更
【補正の内容】
【００６０】
（４−２．読み取り制御回路３２４の構成例）
読み取り制御回路３２４は、ＣＰＵ３１１の制御信号によって、ハードディスクＲＯＭ３４０からの演出画像データ８１の読み出しや、バンクメモリ３２１，３２２への書き込みを制御する機能を有する。この読み取り制御回路３２４は、バンクメモリコントローラ３１４，３１７、制御回路３１５、制御レジスタ群３１３、バス・スイッチ回路３１６、バス切替回路３１８、バス変換回路３２０およびハードディスクインターフェース回路３１２を含んでいる。そして、この読み取り制御回路３２４は、ＣＰＵ３１１、ＶＤＰ３３０、バンクメモリ３２１，３２２および、ソケット３３４を経由してハードディスクＲＯＭ３４０にそれぞれ接続されている。なお、バンクメモリ３２１，３２２は、それぞれ例えば動作周波数が１００ＭＨｚのＳＤＲＡＭである。
【手続補正４】
【補正対象書類名】明細書
【補正対象項目名】００７５
【補正方法】変更
【補正の内容】
【００７５】
バス２０５には、ＣＰＵ２０４の他にも、サーボＤＳＰ２０８、再生チャネル回路２０７およびハードディスクコントローラ２０３が接続されており、これらの間で制御信号が交換されるようになっている。ＣＰＵ２０４は、バス２０５を介してハードディスクコントローラ２０３、再生チャネル回路２０７およびサーボＤＳＰ２０８を制御している。
【手続補正５】
【補正対象書類名】特許請求の範囲
【補正対象項目名】全文
【補正方法】変更
【補正の内容】
【特許請求の範囲】
【請求項１】
遊技媒体の消費に応じて遊技が進行する通常の遊技状態にて所定の条件を満たしたことを契機として遊技者とって有利な利益を供与する特別遊技状態に移行するとともに、表示器を用いて遊技の進行に応じた演出に係る表示動作を実行する遊技機において、
前記通常遊技状態および前記特別遊技状態における視覚的な演出に係る演出表示コマンドを出力する制御手段と、
前記演出表示コマンドに基づいて視覚的な演出に係る表示動作を制御する表示制御手段とを備え、
前記表示制御手段は、
視覚的な演出に係る画像に対応した演出画像データを記憶して読み出し可能な記録部を有する本体部と、この本体部に設けられて前記演出画像データを読み出すための端子とを含む低速大容量記憶装置であり、かつ前記本体部の外面部及び前記端子が、前記端子の先端を露出させつつ封止部材によってモールドされてＩＣチップ化された演出画像記憶装置と、
前記演出画像記憶装置に記憶された演出画像データに基づいて表示動作を実行する表示動作制御手段と、
複数のバンクメモリと、前記表示制御手段に設けられたＣＰＵあるいは前記表示動作制御手段からの制御信号に基づいて前記演出画像記憶装置と前記各バンクメモリとの間を接続するバスの切り替え及び前記表示動作制御手段と前記各バンクメモリとの間を接続するバスの切り替えを行なうバススイッチ回路とを備えて、前記演出画像データに対する前記いずれかのバンクメモリへの書き込み及びいずれかのバンクメモリからの前記表示動作制御手段への前記演出画像データの引渡しを制御する読み取り制御回路と、
を有していることを特徴とする遊技機。
【手続補正書】
【提出日】平成22年8月24日(2010.8.24)
【手続補正１】
【補正対象書類名】特許請求の範囲
【補正対象項目名】全文
【補正方法】変更
【補正の内容】
【特許請求の範囲】
【請求項１】
流体を受けて発電する発電装置であって、
複数のコイルを有する第１の部材と、
前記第１の部材と相対的に回転可能であり、複数の永久磁石を有する第２の部材と、
前記第１と第２の部材のうちのいずれか一方と機械的に連結され、前記流体を受けて回転する回転部材と、
前記第１と第２の部材のうちの少なくとも一方を移動させることにより、前記第１と第２の部材との間に形成される隙間の大きさを変更する隙間変更部と、
を備え、
前記隙間変更部は、前記回転部材が回転を開始する前における前記隙間の大きさよりも、前記回転部材が回転を開始した後における前記隙間の大きさの方が小さくなるように、前記隙間の大きさを変更するとともに、前記回転部材の回転速度に応じて、前記隙間の大きさを変更する、発電装置。
【請求項２】
請求項１記載の発電装置であって、
前記隙間変更部は、
（ｉ）前記回転速度が第１の回転速度閾値以下の場合は、前記隙間の大きさを所定の第１の値とし、
（ｉｉ）前記回転速度が前記第１の回転速度閾値よりも大きい第２の回転速度閾値を超える場合は、前記隙間の大きさを前記第１の値よりも小さい所定の第２の値とし、
（ｉｉｉ）前記回転速度が前記第１と第２の回転速度閾値の間にある場合は、前記隙間の大きさを、前記回転速度が大きくなるに従って小さくなるように変更する、
発電装置。
【請求項３】
流体を受けて発電する発電装置であって、
複数のコイルを有する第１の部材と、
前記第１の部材と相対的に回転可能であり、複数の永久磁石を有する第２の部材と、
前記第１と第２の部材のうちのいずれか一方と機械的に連結され、前記流体を受けて回転する回転部材と、
前記第１と第２の部材のうちの少なくとも一方を移動させることにより、前記第１と第２の部材との間に形成される隙間の大きさを変更する隙間変更部と、
前記流体の流速を測定する流速測定部と、
を備え、
前記隙間変更部は、前記回転部材が回転を開始する前における前記隙間の大きさよりも、前記回転部材が回転を開始した後における前記隙間の大きさの方が小さくなるように、前記隙間の大きさを変更するとともに、前記流速測定部で測定された流速に応じて、前記隙間の大きさを変更する、発電装置。
【請求項４】
請求項３記載の発電装置であって、
前記隙間変更部は、
（ｉ）前記流速が第１の流速閾値以下の場合は、前記隙間の大きさを所定の第１の値とし、
（ｉｉ）前記流速が前記第１の流速閾値よりも大きい第２の流速閾値を超える場合は、前記隙間の大きさを前記第１の値よりも小さい所定の第２の値とし、
（ｉｉｉ）前記流速が前記第１と第２の流速閾値の間にある場合は、前記隙間の大きさを、前記流速が大きくなるに従って小さくなるように変更する、
発電装置。
【手続補正書】
【提出日】平成22年9月7日(2010.9.7)
【手続補正１】
【補正対象書類名】特許請求の範囲
【補正対象項目名】全文
【補正方法】変更
【補正の内容】
【特許請求の範囲】
【請求項１】
分離する試料を保持するロータと、
該ロータを内蔵するロータ室を画成するチャンバと、
該チャンバ上方に開閉可能に配置されて該チャンバ内を密閉可能なドアと、
該ドアにより密閉された該チャンバ内を減圧する第一真空ポンプ及び第二真空ポンプと、
該チャンバと該第二真空ポンプと間に位置する真空配管と、
該真空配管の途中に設けられ、該真空配管の連通を遮断するバルブと、
該バルブの開閉を制御する制御装置と、を備え、
該第二真空ポンプはスクロール形ドライ真空ポンプであり、
該制御装置は該スクロール形ドライ真空ポンプへ通電された時に該バルブを開状態にすると共に該スクロール形ドライ真空ポンプへの通電が停止された状態で該バルブを閉状態にすることを特徴とする遠心機。
【請求項２】
該第一真空ポンプは、油拡散真空ポンプであることを特徴とする請求項１記載の遠心機。
【請求項３】
該油拡散真空ポンプはチャンバ内に接続されると共に、該スクロール形ドライ真空ポンプに該真空配管によって連通されていることを特徴とする請求項２に記載の遠心機。
【請求項４】
該制御装置は該遠心機へ通電された時に該バルブを開状態にすると共に該遠心機への通電が停止された状態で該バルブを閉状態にすることを特徴とする請求項３に記載の遠心機。
【手続補正２】
【補正対象書類名】明細書
【補正対象項目名】０００９
【補正方法】変更
【補正の内容】
【０００９】
上記課題を解決する為に本発明は、分離する試料を保持するロータと、該ロータを内蔵するロータ室を画成するチャンバと、該チャンバ上方に開閉可能に配置されて該チャンバ内を密閉可能なドアと、該ドアにより密閉された該チャンバ内を減圧する第一真空ポンプ及び第二真空ポンプと、該チャンバと該第二真空ポンプと間に位置する真空配管と、該真空配管の途中に設けられ、該真空配管の連通を遮断するバルブと、該バルブの開閉を制御する制御装置と、を備え、該第二真空ポンプはスクロール形ドライ真空ポンプであり、該制御装置は該スクロール形ドライ真空ポンプへ通電された時に該バルブを開状態にすると共に該スクロール形ドライ真空ポンプへの通電が停止された状態で該バルブを閉状態にする遠心機を提供する。
【手続補正３】
【補正対象書類名】明細書
【補正対象項目名】００１０
【補正方法】変更
【補正の内容】
【００１０】
また該第一真空ポンプは、油拡散真空ポンプであることが好ましい。
【手続補正４】
【補正対象書類名】明細書
【補正対象項目名】００１２
【補正方法】変更
【補正の内容】
【００１２】
また該油拡散真空ポンプはチャンバ内に接続されると共に、該スクロール形ドライ真空ポンプに真空配管によって連通されていることが好ましい。
【手続補正５】
【補正対象書類名】明細書
【補正対象項目名】００１４
【補正方法】変更
【補正の内容】
【００１４】
また該制御装置は該遠心機へ通電された時に該バルブを開状態にすると共に該遠心機への通電が停止された状態で該バルブを閉状態にしてもよい。
【手続補正６】
【補正対象書類名】明細書
【補正対象項目名】００１５
【補正方法】削除
【補正の内容】
【手続補正書】
【提出日】平成22年5月14日(2010.5.14)
【手続補正１】
【補正対象書類名】特許請求の範囲
【補正対象項目名】全文
【補正方法】変更
【補正の内容】
【特許請求の範囲】
【請求項１】
使用者が凭れる背凭れ面を前面に有する背凭れと、
使用者の頭を保持するヘッドレストと、
を具えた椅子であって、
背凭れの頂部には、背凭れ面から背凭れの頂部を跨ぎ、背凭れの裏面に延びるベルト部材が前後にスライド可能に載置され、
ベルト部材は、背凭れ面側の端部にヘッドレストが取り付けられており、裏面側の端部にバランスウェイトが取り付けられていることを特徴とするヘッドレスト付椅子。
【請求項２】
ベルト部材は、背凭れの頂部に設けられたベルト通しを挿通している請求項１に記載のヘッドレスト付椅子。
【請求項３】
ベルト部材は、一端がヘッドレストに夫々止着された第１シートと第２シートを重ねて構成され、背凭れ側となる第１シートがベルト通しを挿通し、第２シートは、ベルト通しを挟むように第１シートの上側に重なって配置され、第１シートと第２シートの自由端側には第１シートと第２シートを係止する係止手段を具え、第２シートの自由端側にバランスウェイトが取り付けられている請求項２に記載のヘッドレスト付椅子。
【請求項４】
被施療者の患部をマッサージするマッサージユニットを搭載したマッサージ椅子である請求項１乃至請求項３の何れかに記載のヘッドレスト付椅子。
【手続補正書】
【提出日】平成22年9月30日(2010.9.30)
【手続補正１】
【補正対象書類名】特許請求の範囲
【補正対象項目名】全文
【補正方法】変更
【補正の内容】
【特許請求の範囲】
【請求項１】
側壁（２）及び底壁（３）に複数の孔（５）を設け、上縁（４）に三角形状の切込み部（６）を設けた栽培容器（１）に、用土（Ｓ）及び植物（Ｔ）を入れて植物（Ｔ）を定植する第１のプロセスと、
上記栽培容器（１）を植えるために掘られた植え穴（Ｈ）に、上記栽培容器（１）を植える第２のプロセスと、
上記植物（Ｔ）が生長して花・実を実らせるまで待つ第３のプロセスと、
上記切込み部６を通って栽培容器の周囲の土壌（Ｇ）に延出した太根Ｂｉを根切りする第４のプロセスとを含んで構成されることを特徴とする植物生長調節方法。
【請求項２】
上記第４のプロセスにおいて、根切りをすると共に、剪定を行い、幹枝と根の最適なバランスをとることを特徴とする請求項１記載の植物生長調節方法。
【請求項３】
上記第４のプロセスにおいて、根切りをした後に、施肥することを特徴とする請求項１記載の植物生長調節方法。
【請求項４】
側壁（２）、底壁（３）及び上縁（４）により鉢状に構成される栽培容器（１）において、
側壁（２）及び底壁（３）に複数の孔（５）が設けられ、
上縁（４）に複数の切込み部（６）が設けられ、
上記切込み部（６）は、上縁（４）を一辺として、左側辺（６ｃ）、右側辺（６ｂ）及び最下頂点（６ａ）からなり、三角形状に構成されることを特徴とする植物生長調節方法の実施に使用するための植物栽培容器。
【手続補正書】
【提出日】平成22年5月31日(2010.5.31)
【手続補正１】
【補正対象書類名】特許請求の範囲
【補正対象項目名】全文
【補正方法】変更
【補正の内容】
【特許請求の範囲】
【請求項１】
遊技用価値を用いて１ゲームに対して所定数の賭数を設定することによりゲームを開始させることが可能となり、各々が識別可能な複数種類の識別情報を変動表示させる可変表示装置に表示結果が導出されることにより１ゲームが終了し、該可変表示装置に導出された表示結果に応じて入賞が発生可能であるスロットマシンにおいて、
ゲーム毎に前記可変表示装置の表示結果が導出されるよりも前に、前記遊技用価値の付与を伴う小役表示結果と遊技者にとって有利な特別遊技状態への移行を伴う特別表示結果とを含む複数種類の入賞表示結果の導出を許容するか否かを決定する事前決定手段と、
前記識別情報の変動表示を停止させるために遊技者により操作される停止操作手段と、
前記事前決定手段の決定結果と前記停止操作手段の操作手順とに応じて前記可変表示装置に表示結果を導出させる導出制御手段と、
前記小役表示結果が導出されたときに、該導出された小役表示結果に応じて定められた数の遊技用価値を遊技者に付与する遊技用価値付与手段と、
前記特別表示結果が導出されたときに、該特別表示結果の導出後に前記遊技用価値付与手段により遊技者に付与された遊技用価値の総数が予め定められた特別規定数に達するまで、前記特別遊技状態に遊技状態を制御する特別遊技状態制御手段と、
前記特別遊技状態に遊技状態が制御されているときにおいて該特別遊技状態で所定ゲーム数が実行されるときよりも該所定ゲーム数よりも多くのゲーム数が実行されるときに成立しやすい所定の条件が成立したときに、前記特別遊技状態とは異なる遊技者にとって有利な特定状態に制御するか否かを決定する特定決定手段と、
前記特定決定手段により前記特定決定手段に制御する旨が決定されたときに、前記特別遊技状態が終了した後に前記特定状態に制御する特定状態制御手段とを備え、
前記特定決定手段は、前記特別表示結果の導出後において前記事前決定手段により導出を許容する旨が決定された小役表示結果が必ず導出されるものとした場合に前記遊技用価値付与手段により付与されることとなる遊技用価値の総数が予め定められた特定規定数に達するまで、前記特定状態に制御するか否かを決定する
ことを特徴とするスロットマシン。
【請求項２】
前記特定規定数は、前記特別規定数よりも大きい
ことを特徴とする請求項１に記載のスロットマシン。
【請求項３】
前記特別遊技状態が新たに開始されるときに、該特別遊技状態において実行される特定演出の種類を遊技者に選択させる特定演出選択手段と、
前記特別遊技状態に制御されているときに、前記特定演出選択手段により選択された種類の特定演出を演出手段に実行させる特定演出実行手段とをさらに備え、
前記特定決定手段は、前記特定演出選択手段により選択された特定演出の種類に応じて各々当選条件が異なる抽選により前記特定状態に制御するか否かを決定し、
前記スロットマシンは、前記特定決定手段により前記特定状態に制御する旨が決定されたときに、前記特定演出選択手段により選択された特定演出の種類に応じた態様で、該特定状態に制御する旨を遊技者に報知する特定状態報知手段をさらに備える
ことを特徴とする請求項１または２に記載のスロットマシン。
【請求項４】
前記特別遊技状態が開始される前において所定の条件が成立したときに、該特別遊技状態の終了後に前記特定状態に制御させるための特定移行条件を成立させる特定移行条件成立手段と、
前記特別遊技状態が新たに開始されるときにおいて既に前記特定移行条件が成立しているときに、所定の演出を前記演出手段に実行させる特定移行条件既成立時演出実行とをさらに備え、
前記特定状態制御手段は、前記特別遊技状態が新たに開始されるときにおいて既に前記特定移行条件が成立しているときにも、該特別遊技状態が終了した後に前記特定状態に制御する
ことを特徴とする請求項１乃至３のいずれか１項に記載のスロットマシン。
【手続補正書】
【提出日】平成22年9月29日(2010.9.29)
【手続補正１】
【補正対象書類名】特許請求の範囲
【補正対象項目名】全文
【補正方法】変更
【補正の内容】
【特許請求の範囲】
【請求項１】
１ゲームに対して所定数の賭数を設定することによりゲームを開始させることが可能となり、各々が識別可能な複数種類の識別情報を変動表示させる可変表示装置に表示結果が導出されることにより１ゲームが終了し、該可変表示装置に導出された表示結果に応じて入賞が発生可能であるスロットマシンにおいて、
ゲーム毎に前記可変表示装置の表示結果が導出されるよりも前に、複数種類の入賞表示結果の導出を許容するか否かを決定する事前決定手段と、
前記事前決定手段の決定結果に応じて前記可変表示装置に表示結果を導出させる手段であって、前記事前決定手段により所定の有利決定が行われていることを条件として所定の有利表示結果を導出させ、前記事前決定手段により所定の不利決定が行われていることを条件として前記有利表示結果とは異なる所定の不利表示結果を導出させ、前記事前決定手段により所定の特定決定が行われていることを条件として前記有利表示結果とも前記不利表示結果とも異なる所定の特定表示結果を導出させる導出制御手段と、
遊技者にとって有利な有利状態にも該有利状態よりも遊技者にとって不利な不利状態にも移行可能な初期遊技状態に制御されているときにおいて前記有利表示結果が導出されたときに、前記有利状態に遊技状態を制御する有利状態制御手段と、
前記初期遊技状態に制御されているときにおいて前記不利表示結果が導出されたときに、該不利表示結果が導出された後の消化ゲーム数に関わらずに前記特定表示結果が導出されるまで、前記不利状態に遊技状態を制御する不利状態制御手段と、
前記不利状態に制御されているときにおいて前記特定表示結果が導出されたときに、前記初期遊技状態とも前記有利状態とも前記不利状態とも異なる特定遊技状態に遊技状態を制御する特定遊技状態制御手段と、
前記特定遊技状態において予め定められた特定規定ゲーム数を消化したときに、該特定遊技状態を終了させて、前記初期遊技状態に遊技状態を制御する特定初期遊技状態制御手段と
を備えることを特徴とするスロットマシン。
【手続補正書】
【提出日】平成21年12月22日(2009.12.22)
【手続補正１】
【補正対象書類名】特許請求の範囲
【補正対象項目名】全文
【補正方法】変更
【補正の内容】
【特許請求の範囲】
【請求項１】
記録材上の画像をニップ部にて加熱する加熱回転体と、
前記加熱回転体との間で前記ニップ部を形成するベルトであって画像加熱動作可能な前記加熱回転体に当接した位置と前記加熱回転体から退避した位置との間を移動可能なベルトと、
前記ベルトをその幅方向に揺動させる揺動手段と、
前記加熱回転体の回転の速度を制御する制御手段と、を有する画像加熱装置において、
前記制御手段は、前記揺動手段を作動させつつ前記ベルトを前記加熱回転体に当接させるときは前記加熱回転体を第１の速度で回転させ、その後、前記加熱回転体を前記第１の速度よりも速い第２の速度に増速させてから画像加熱動作を開始するモードを実行可能であることを特徴とする画像加熱装置。
【請求項２】
前記制御手段は前記第２の速度を記録材の種類に応じて変更することを特徴とする請求項１記載の画像加熱装置。
【請求項３】
前記制御手段は、前記画像加熱動作時における前記加熱回転体の回転の速度として選択可能な複数の速度を有し、前記第１の速度は、前記選択可能な複数の速度のうち最も遅い速度であることを特徴とする請求項１記載の画像加熱装置。
【請求項４】
前記制御手段は、前記揺動手段を作動させつつ前記ベルトを前記加熱回転体に当接させるときは前記加熱回転体を第１の速度で回転させ、その後、前記加熱回転体を前記第１の速度よりも速い第２の速度に増速させてから画像加熱動作を開始するモードと、前記揺動手段を作動させつつ前記ベルトを前記加熱回転体に当接させるときに前記加熱回転体を前記第１の速度で回転させ、前記第２の速度に増速させずに画像加熱動作を開始するモードのいずれかを記録材の種類に応じて選択することを特徴とする請求項１に記載の画像加熱装置。
【請求項５】
前記加熱回転体はローラを有することを特徴とする請求項１乃至４のいずれか１項記載の画像加熱装置。
【手続補正２】
【補正対象書類名】明細書
【補正対象項目名】０００９
【補正方法】変更
【補正の内容】
【０００９】
上記目的を達成するために、この発明は、
記録材上の画像をニップ部にて加熱する加熱回転体と、前記加熱回転体との間で前記ニップ部を形成するベルトと、前記ベルトを、前記ベルトの幅方向に揺動させる揺動手段と、前記加熱回転体の回転の速度を制御する制御手段とを有し、前記ベルトは画像加熱動作が可能な前記加熱回転体に当接した位置と前記加熱回転体から退避した位置との間を移動可能であり、前記制御手段は、前記揺動手段により前記ベルトを揺動させながら前記ベルトを前記加熱回転体に当接させるとき前記加熱回転体を第１の速度で回転させ、その後、前記加熱回転体を前記第１の速度よりも速い第２の速度に増速させてから画像加熱動作を開始するモードを実行可能であることを特徴とするものである。
【手続補正書】
【提出日】平成21年12月3日(2009.12.3)
【手続補正１】
【補正対象書類名】特許請求の範囲
【補正対象項目名】全文
【補正方法】変更
【補正の内容】
【特許請求の範囲】
【請求項１】
第１の温度、又は前記第１の温度よりも低い第２の温度に設定された状態で、記録材上の画像を加熱する画像加熱部材と、
前記画像加熱部材を加熱する加熱手段であって、前記画像加熱部材の長手方向両端側での加熱能力が中央部よりも高い第１のヒータと前記画像加熱部材の長手方向中央部での加熱能力が長手方向両端側よりも高い第２のヒータとを有する加熱手段と、
前記画像加熱部材を冷却する冷却手段とを有し、
前記画像加熱部材の目標温度を前記第２の温度へ変更するとき、前記冷却手段により前記画像加熱部材の温度を前記第２の温度よりもさらに低い移行温度に移行させてから前記第１のヒータにより前記画像加熱部材の温度を前記第２の温度に上昇させるモードを実行するように構成されている
ことを特徴とする画像加熱装置。
【請求項２】
前記画像加熱部材の長手方向中央部の温度を検出する検出手段と、
前記検出手段の出力に応じて前記画像加熱部材の温度が前記第１の温度又は前記第２の温度となるように前記第１のヒータと前記第２のヒータへの通電を制御する制御手段と、
を有し、
前記制御手段は、前記第１のヒータへ通電することで前記モード時に加熱動作を行うことを特徴とする請求項１記載の画像加熱装置。
【請求項３】
前記移行温度は可変であることを特徴とする請求項１記載の画像加熱装置。
【請求項４】
前記モード実行中は画像加熱動作が停止されていることを特徴とする請求項１記載の画像加熱装置。
【請求項５】
第１の温度、又は前記第１の温度よりも低い第２の温度に設定された状態で、記録材上の画像を加熱する画像加熱部材と、
前記画像加熱部材を冷却する冷却手段と、
前記画像加熱部材の目標温度を前記第２の温度へ変更する非画像加熱動作時は前記画像加熱部材の長手方向両端側での前記冷却手段の冷却能力を長手方向中央部よりも小さくし、画像加熱動作時は前記画像加熱部材の長手方向中央部で前記冷却手段の冷却能力を長手
方向両端側よりも小さくするように前記冷却手段の冷却能力を切り替える切り替え手段とを有する
ことを特徴とする画像加熱装置。
【手続補正２】
【補正対象書類名】明細書
【補正対象項目名】００１１
【補正方法】変更
【補正の内容】
【００１１】
上記目的を達成するために、この発明の第１の発明は、
第１の温度、又は前記第１の温度よりも低い第２の温度に設定された状態で、記録材上の画像を加熱する画像加熱部材と、
前記画像加熱部材を加熱する加熱手段であって、前記画像加熱部材の長手方向両端側での加熱能力が中央部よりも高い第１のヒータと前記画像加熱部材の長手方向中央部での加熱能力が長手方向両端側よりも高い第２のヒータとを有する加熱手段と、
前記画像加熱部材を冷却する冷却手段とを有し、
前記画像加熱部材の目標温度を前記第２の温度へ変更するとき、前記冷却手段により前記画像加熱部材の温度を前記第２の温度よりもさらに低い移行温度に移行させてから前記第１のヒータにより前記画像加熱部材の温度を前記第２の温度に上昇させるモードを実行するように構成されている
ことを特徴とする画像加熱装置である。
【手続補正３】
【補正対象書類名】明細書
【補正対象項目名】００１２
【補正方法】変更
【補正の内容】
【００１２】
この発明の第２の発明は、
第１の温度、又は前記第１の温度よりも低い第２の温度に設定された状態で、記録材上の画像を加熱する画像加熱部材と、
前記画像加熱部材を冷却する冷却手段と、
前記画像加熱部材の目標温度を前記第２の温度へ変更する非画像加熱動作時は前記画像加熱部材の長手方向両端側での前記冷却手段の冷却能力を長手方向中央部よりも小さくし、画像加熱動作時は前記画像加熱部材の長手方向中央部で前記冷却手段の冷却能力を長手方向両端側よりも小さくするように前記冷却手段の冷却能力を切り替える切り替え手段とを有する
ことを特徴とする画像加熱装置である。
【手続補正書】
【提出日】平成22年7月21日(2010.7.21)
【手続補正１】
【補正対象書類名】特許請求の範囲
【補正対象項目名】全文
【補正方法】変更
【補正の内容】
【特許請求の範囲】
【請求項１】
芳香族ビニル単位（Ａ）、及び、不飽和ニトリル単位（Ｂ）からなり、飽和吸水率が０．６重量％以下であり、かつ飽和吸水時の寸法変化率が０．０７％以下であるスチレン系熱可塑性樹脂であり、
樹脂成分全体に対する成分（Ｂ）の含有量の平均値（Ｘ）が５重量％＜Ｘ≦２７重量％であり、
前記樹脂成分が、前記成分（Ｂ）を（Ｘ−５）重量％以下有する共重合体、及び、前記成分（Ｂ）を（Ｘ＋５）重量％以上有する共重合体を、それぞれ０．０２〜３．５重量％含有するスチレン系熱可塑性樹脂を１００重量部と、
ヒンダードアミン系安定剤（Ｄ）を２．０重量部以下と、
を含有するスチレン系熱可塑性樹脂組成物からなる光学部品。
【請求項２】
前記成分（Ｂ）の含有量の平均値（Ｘ）が８重量％≦Ｘ≦２７重量％からなることを特徴とするスチレン系熱可塑性樹脂を含有するスチレン系熱可塑性樹脂組成物からなる、請求項１に記載の光学部品。
【請求項３】
前記樹脂成分が、アルキル（メタ）アクリレート、（メタ）アクリル酸、α、β−不飽和カルボン酸、マレイミドまたはグリシジル基含有単量体からなる群より選ばれる少なくとも１種の成分（Ｃ）を、前記成分（Ａ）と前記成分（Ｂ）の合計量１００重量部に対して、０〜２０重量部含有することを特徴とするスチレン系熱可塑性樹脂を含有するスチレン系熱可塑性樹脂組成物からなる、請求項１または２に記載の光学部品。
【請求項４】
前記成分（Ａ）がスチレンであり、前記成分（Ｂ）がアクリロニトリルであることを特徴とするスチレン系熱可塑性樹脂を含有するスチレン系熱可塑性樹脂組成物からなる、請求項１〜３のいずれか一項に記載の光学部品。
【請求項５】
前記成分（Ｃ）が、ブチルアクリレートであることを特徴とするスチレン系熱可塑性樹脂を含有するスチレン系熱可塑性樹脂組成物からなる、請求項３または４に記載の光学部品。
【請求項６】
前記スチレン系熱可塑性樹脂１００重量部に対して、ヒンダードアミン系安定剤（Ｄ）を０．０５〜２．０重量部含有することを特徴とするスチレン系熱可塑性樹脂組成物からなる、請求項１〜５のいずれか一項に記載の光学部品。
【請求項７】
前記成分（Ｄ）が、セバシン酸ジエステル化合物であることを特徴とするスチレン系熱可塑性樹脂組成物からなる、請求項１〜６のいずれか一項に記載の光学部品。
【請求項８】
前記成分（Ｄ）が、ビス（２，２，６，６−テトラメチル−４−ピペリジル）セバケートであることを特徴とするスチレン系熱可塑性樹脂組成物からなる、請求項１〜７のいずれか一項に記載の光学部品。
【請求項９】
前記光学部品が押出成形シートからなることを特徴とする、請求項１〜８のいずれか一項に記載の光学部品。
【請求項１０】
前記光学部品が背面透過型プロジェクションテレビ用スクリーンである、請求項１〜８のいずれか一項に記載の光学部品。
【請求項１１】
前記光学部品が背面透過型プロジェクションテレビ用スクリーンのフレネルレンズ及びレンチキュラーレンズのレンズ基板である、請求項１〜８のいずれか一項に記載の光学部品。
【請求項１２】
前記光学部品が薄型テレビ用前面パネル基板である、請求項１〜８のいずれか一項に記載の光学部品。
【請求項１３】
前記光学部品が液晶テレビ用拡散板である、請求項１〜８のいずれか一項に記載の光学部品。
【手続補正２】
【補正対象書類名】明細書
【補正対象項目名】００３９
【補正方法】変更
【補正の内容】
【００３９】
［実施例１〜５および比較例１〜３、６、７］
表１に示したスチレン系熱可塑性樹脂と安定剤の組み合わせを、３０ｍｍベント式単軸押出機（（株）石中鉄工所製ＨＳ−Ｂ）を用いて、２２０℃で混練りし、目的の樹脂あるいは樹脂組成物を得た。安定剤としては、ＪＦ９０（城北化学工業(株)製）を用いた。得られた各々の樹脂あるいは樹脂組成物を東芝機械（株）製ＩＳ−５５ＥＰＮを用いて、温度２４０℃、金型温度６０℃の条件で射出成形し評価用試験片を作成した。それらの物性の評価結果を表１に示す。
【手続補正３】
【補正対象書類名】明細書
【補正対象項目名】００４０
【補正方法】変更
【補正の内容】
【００４０】
なお、アクリロニトリル２０重量％を含有するスチレン系熱可塑性樹脂のうち、アクリロニトリルを１５重量％以下および２５重量％以上含有する共重合体の含有量は、それぞれ４重量％以下であった。また、アクリロニトリル９重量％を含有するスチレン系熱可塑性樹脂組成物のうち、アクリロニトリルを５重量％以下および１４重量％以上含有する共重合体の含有量は、それぞれ５重量％以下であった。また、比較例２は、ＰＳＪポリスチレンＨＦ７７（ＰＳジャパン（株）製）を用いた。
表１に示す通り、実施例１〜５は飽和吸水率が小さく、且つ寸法変化率も小さく、紫外線硬化型樹脂との接着性に優れている。
【手続補正４】
【補正対象書類名】明細書
【補正対象項目名】００４２
【補正方法】変更
【補正の内容】
【００４２】
［実施例６および比較例４、５］
表２に示した組成のアクリロニトリルの組成分布を高速液体クロマトグラフで測定した結果を表２に示す。アクリロニトリルの組成分布が広くなると、光学特性が低下し、寸法変化が大きくなり好ましくない。
【手続補正５】
【補正対象書類名】明細書
【補正対象項目名】００４３
【補正方法】変更
【補正の内容】
【００４３】
【表１】
2007108727.tif 000001
【手続補正６】
【補正対象書類名】明細書
【補正対象項目名】００４４
【補正方法】変更
【補正の内容】
【００４４】
【表２】
2007108727.tif 000002
【手続補正書】
【提出日】平成21年12月11日(2009.12.11)
【手続補正１】
【補正対象書類名】明細書
【補正対象項目名】０００５
【補正方法】変更
【補正の内容】
【０００５】
先行技術は、発信者が音声メール・ボックスに向けられ、受信側にメッセージが送信される前にシステムが発信者のメッセージを再生するのを聞くことなど、オプションのために電話へキー入力することができる音声メール・システムを含む。さらに先行技術は、発信者が単語またはフレーズを言うように促され、システムが発信者の命令を分析し、続いて発信者に情報を提供するか、またはさらに追加の音声情報を発信者に促す双方向の音声応答システムを含む。こうしたシステムは通常は航空業界で使用されており、このシステムによって発信者は出発および到着時間を確認することができる。しかしながら、こうしたシステムでは、システムの様々な機能を練習するために、人間が電話通信システムと対話することはできない。
【特許文献１】米国特許公報６５６１８１２
【手続補正書】
【提出日】平成22年10月22日(2010.10.22)
【手続補正１】
【補正対象書類名】特許請求の範囲
【補正対象項目名】全文
【補正方法】変更
【補正の内容】
【特許請求の範囲】
【請求項１】
ホスト装置および該装置からイメージデータを受け取って画像形成を行う画像形成装置を備えた画像形成システムにおいて、
前記ホスト装置は、
複数の塗りつぶし領域と該複数の塗りつぶし領域にそれぞれ対応する複数の塗りつぶし色とからなるグラデーションを、該複数の塗りつぶし領域を一つに結合した塗りつぶし領域の１ラインイメージデータに変換する変換手段と、
該イメージデータを前記画像形成装置に送信する送信手段とを備え、
前記画像形成装置は、
前記ホスト装置から前記１ラインイメージデータを受信するための受信手段と、
受信した該１ラインイメージデータを解釈して描画手段が解釈可能なデータに変換して保存する手段と、
該描画手段であって、該保存した１ラインイメージデータを、前記複数の塗りつぶし領域と該複数の塗りつぶし領域にそれぞれ対応する複数の塗りつぶし色とからなる前記グラデーションに変換して該グラデーションを描画する描画手段とを備える
ことを特徴とする画像形成システム。
【請求項２】
請求項１の画像形成システムにおいて、
前記描画手段は、
それぞれの塗りつぶし領域について、該領域に対応する塗りつぶし色に応じてピクセルごとにハーフトーン処理した一定サイズの矩形のタイルデータを作成する手段と、
作成した該タイルデータを、対応する塗りつぶし領域に貼り付ける手段と
を備えることを特徴とする画像形成システム。
【請求項３】
ホスト装置および該装置からイメージデータを受け取って画像形成を行う画像形成装置を備えた画像形成システムにおける画像形成方法において、
前記ホスト装置において、
複数の塗りつぶし領域と該複数の塗りつぶし領域にそれぞれ対応する複数の塗りつぶし色とからなるグラデーションを、該複数の塗りつぶし領域を一つに結合した塗りつぶし領域の１ラインイメージデータに変換するステップと、
該イメージデータを前記画像形成装置に送信するステップと、
前記画像形成装置において、
前記ホスト装置から前記１ラインイメージデータを受信するステップと、
受信した該１ラインイメージデータを解釈して描画手段が解釈可能なデータに変換して保存するステップと、
該描画手段によって、該保存した１ラインイメージデータを、前記複数の塗りつぶし領域と該複数の塗りつぶし領域にそれぞれ対応する複数の塗りつぶし色とからなる前記グラデーションに変換して該グラデーションを描画するステップと
を含むことを特徴とする画像形成方法。
【請求項４】
請求項３の画像形成方法において、
前記描画するステップにおいて、
それぞれの塗りつぶし領域について、該領域に対応する塗りつぶし色に応じてピクセルごとにハーフトーン処理した一定サイズの矩形のタイルデータを作成し、および、
作成した該タイルデータを、対応する塗りつぶし領域に貼り付ける
ことを特徴とする画像形成方法。
【手続補正２】
【補正対象書類名】明細書
【補正対象項目名】発明の名称
【補正方法】変更
【補正の内容】
【発明の名称】画像形成システム及び画像形成方法
【手続補正３】
【補正対象書類名】明細書
【補正対象項目名】００１８
【補正方法】変更
【補正の内容】
【００１８】
上記問題を解決するために本発明の一態様では、ホスト装置および該装置からイメージデータを受け取って画像形成を行う画像形成装置を備えた画像形成システムにおいて、前記ホスト装置は、複数の塗りつぶし領域と該複数の塗りつぶし領域にそれぞれ対応する複数の塗りつぶし色とからなるグラデーションを、該複数の塗りつぶし領域を一つに結合した塗りつぶし領域の１ラインイメージデータに変換する変換手段と、該イメージデータを前記画像形成装置に送信する送信手段とを備え、前記画像形成装置は、前記ホスト装置から前記１ラインイメージデータを受信するための受信手段と、受信した該１ラインイメージデータを解釈して描画手段が解釈可能なデータに変換して保存する手段と、該描画手段であって、該保存した１ラインイメージデータを、前記複数の塗りつぶし領域と該複数の塗りつぶし領域にそれぞれ対応する複数の塗りつぶし色とからなる前記グラデーションに変換して該グラデーションを描画する描画手段とを備えることを特徴とする画像形成システムを提供する。
【手続補正４】
【補正対象書類名】明細書
【補正対象項目名】００１９
【補正方法】変更
【補正の内容】
【００１９】
ここで、前記描画手段は、描画手段は、
それぞれの塗りつぶし領域について、該領域に対応する塗りつぶし色に応じてピクセルごとにハーフトーン処理した一定サイズの矩形のタイルデータを作成する手段と、作成した該タイルデータを、対応する塗りつぶし領域に貼り付ける手段とを備えていてよい。
【手続補正５】
【補正対象書類名】明細書
【補正対象項目名】００２０
【補正方法】変更
【補正の内容】
【００２０】
本発明の他の態様では、ホスト装置および該装置からイメージデータを受け取って画像形成を行う画像形成装置を備えた画像形成システムにおける画像形成方法において、前記ホスト装置において、複数の塗りつぶし領域と該複数の塗りつぶし領域にそれぞれ対応する複数の塗りつぶし色とからなるグラデーションを、該複数の塗りつぶし領域を一つに結合した塗りつぶし領域の１ラインイメージデータに変換するステップと、該イメージデータを前記画像形成装置に送信するステップと、前記画像形成装置において、前記ホスト装置から前記１ラインイメージデータを受信するステップと、受信した該１ラインイメージデータを解釈して描画手段が解釈可能なデータに変換して保存するステップと、該描画手段によって、該保存した１ラインイメージデータを、前記複数の塗りつぶし領域と該複数の塗りつぶし領域にそれぞれ対応する複数の塗りつぶし色とからなる前記グラデーションに変換して該グラデーションを描画するステップとを含むことを特徴とする画像形成方法を提供する。
【手続補正６】
【補正対象書類名】明細書
【補正対象項目名】００２１
【補正方法】変更
【補正の内容】
【００２１】
ここで、前記描画するステップにおいて、それぞれの塗りつぶし領域について、該領域に対応する塗りつぶし色に応じてピクセルごとにハーフトーン処理した一定サイズの矩形のタイルデータを作成し、および、作成した該タイルデータを、対応する塗りつぶし領域に貼り付けることができる。
【手続補正７】
【補正対象書類名】明細書
【補正対象項目名】００２２
【補正方法】削除
【補正の内容】
【手続補正８】
【補正対象書類名】明細書
【補正対象項目名】００２３
【補正方法】削除
【補正の内容】
【手続補正９】
【補正対象書類名】明細書
【補正対象項目名】００２４
【補正方法】削除
【補正の内容】
【手続補正１０】
【補正対象書類名】明細書
【補正対象項目名】００２５
【補正方法】削除
【補正の内容】
【手続補正書】
【提出日】平成22年6月3日(2010.6.3)
【手続補正１】
【補正対象書類名】明細書
【補正対象項目名】００３６
【補正方法】変更
【補正の内容】
【００３６】
また、上記各構成要素は相互に関連を持って設定されているので、上記の条件を全て満足することにより、これらの作用効果を始めとする種々の作用効果を得られるものであるが、各作用効果に比較的大きな影響を与えている条件式（１）〜（６）について、以下に説明する。